(57)【要約】【課題】多種多様な仕様の移動体通信機器にて三次元形状の被写体の旋回画像を表示可能な画像情報を配信できる画像情報提供装置とする。【解決手段】移動体通信機器２０に通信ネットワーク１０を介して画像情報を提供する画像情報提供装置３０であって、画像データを記憶する画像データ記憶手段３６と、ビューアを記憶するビューア記憶手段３７と、接続された移動体通信機器２０の仕様を認識する仕様認識手段３３と、接続された移動体通信機器２０の仕様に応じた画像データを取得する画像データ取得手段（画像データ抽出手段３４）と、接続された移動体通信機器２０の仕様に応じたビューアを抽出するビューア抽出手段３５と、取得した画像データ及び抽出したビューアを含んだ画像情報を配信する通信制御手段３１とを備える。【選択図】        図１
2004236264.tif 000002
【特許請求の範囲】
【請求項１】
画像を表示する表示装置を備えた移動体通信機器に通信ネットワークを介して画像情報を提供する画像情報提供装置であって、
三次元形状の被写体を複数方向から撮像して得た画像データを記憶する画像データ記憶手段と、
被写体の複数方向からの静止画像を順次表示してなる被写体の旋回画像を移動体通信機器の表示装置にて表示させるためのビューアであって、各種の移動体通信機器の仕様に応じた複数種類のビューアを記憶するビューア記憶手段と、
通信ネットワークを介して接続された移動体通信機器の仕様を認識する仕様認識手段と、
該仕様認識手段の認識情報に基づき、前記画像データ記憶手段に記憶された画像データを用いて、接続された移動体通信機器の仕様に応じた画像データを取得する画像データ取得手段と、
前記仕様認識手段の認識情報に基づき、前記ビューア記憶手段に記憶された複数種類のビューアの中から、接続された移動体通信機器の仕様に応じたビューアを抽出するビューア抽出手段と、
前記通信ネットワークに対する情報の送受信を制御すると共に、前記画像データ取得手段によって取得された画像データ及び前記ビューア抽出手段によって抽出されたビューアを含んだ画像情報を、通信ネットワークを介して移動体通信機器に配信する通信制御手段と
を備えることを特徴とする画像情報提供装置。
【請求項２】
前記画像データ記憶手段は、各種の移動体通信機器の仕様に応じた複数種類の画像データを記憶するものであり、
前記画像データ取得手段は、前記仕様認識手段の認識情報に基づき、前記画像データ記憶手段に記憶された複数種類の画像データの中から、接続された移動体通信機器の仕様に応じた画像データを抽出する画像データ抽出手段として構成されていることを特徴とする請求項１に記載の画像情報提供装置。
【請求項３】
前記画像データ取得手段によって取得される画像データは、移動体通信機器の表示装置における画面サイズ、色調数及び画素数に応じて調整された画像データであることを特徴とする請求項１または請求項２に記載の画像情報提供装置。
【請求項４】
前記画像データ取得手段によって取得される画像データは、被写体の静止画像を表示するための静止画像データと、静止画像を間引き処理してなる間引き画像を順次表示して被写体の旋回画像を表示するための旋回画像データとを含んで構成されていることを特徴とする請求項１から請求項３までのいずれか一つに記載の画像情報提供装置。
【発明の詳細な説明】
【０００１】
【発明の属する技術分野】
本発明は、画像情報提供装置に関し、詳しくは、画像を表示する表示装置を備えた移動体通信機器に通信ネットワークを介して画像情報を提供する画像情報提供装置に関するものである。
【０００２】
【従来の技術】
三次元形状の対象物を、視点を変えた画像として表示できるようにするために、コンピュータグラフィックス（以下、「ＣＧ」と称す）を用いる手法がある。しかしながら、ＣＧでは、対象物の形状モデルを作成しなければならず、この形状モデルの作成作業に多くの労力と工数とを必要とする。また、対象物が複雑な形状である場合には、形状モデルのデータ量が極めて多くなるため、画像を円滑に表示させるには、高速処理が可能で大容量のコンピュータを使用しなければならなくなる。さらに、三次元形状の対象物をＣＧにより表現すると、対象物の外観が現実味を帯びず、「製品の画像を表示して商談に利用する場合等において、製品のデザイン評価を適確に行うことができない」、「アイドル等の人物や美術工芸品等の物品の画像を表示して鑑賞に利用する場合等において、鑑賞価値を低下させる」等といった不具合を生じる。
【０００３】
そこで、本願発明者等は、三次元形状の表示対象物の実物を被写体とし、この被写体を複数方向から撮像して画像データを作成し、この画像データに基づいて、視点を変えた画像を表示することができる画像認識処理装置を先に案出している。また、複数方向から撮像した被写体の静止画像を順次変更して表示することにより、三次元形状の被写体の旋回画像を表示できるようにすることも、先に案出している。
【０００４】
【特許文献１】
特開２００２−２２３４５７号公報
【０００５】
ところで、近年、移動体通信機器及び通信ネットワークの技術の進歩により、画像を表示する液晶ディスプレイ等の表示装置を備えた携帯電話等の移動体通信機器に、インターネット等の通信ネットワークを介して、画像情報を配信する情報提供サービスが実現されている。
【０００６】
【発明が解決しようとする課題】
しかしながら、上記の情報提供サービスは、通信ネットワーク上で公開された写真やアニメ等の平面的な画像を提供するに止まるものであり、製品のデザイン評価、人物や物品の鑑賞等に好適に利用することができる画像を提供するものではない。
【０００７】
そこで、三次元形状の被写体を複数方向から撮像して得た画像データを、通信ネットワークを介して配信し、表示装置を備えた移動体通信機器において、被写体の旋回画像を表示させるようにすることが、単に考えられる。しかしながら、撮像した被写体の画像データを、通信ネットワークを介して単に配信するだけでは、以下のような問題を生じる。
【０００８】
移動体通信機器では、例えば携帯電話事業者等、通信サービスを行う事業者、所謂「キャリア」毎に使用されるプログラム言語が異なり、取り扱い可能なデータの種類も異なる。また、画像を表示装置にて表示させるためのビューアも異なり、しかも、被写体の複数方向からの静止画像を順次表示して被写体の旋回画像を表示させるためには、旋回画像を表示させるための専用のビューアを必要とするため、移動体通信機器は、この専用のビューアを有していなければ、画像データを取得しても、この画像データを有効に活用することができない。さらに、同じキャリアの移動体通信機器であっても、機種によっては、表示装置の画面サイズ、色調数、画素数等の構成が異なり、機種に応じて取り扱い可能なデータの内容が異なることもある。
【０００９】
よって、被写体を複数方向から撮像して得られた画像データを、通信ネットワークを介して接続された移動体通信機器に、単に配信するようにしただけでは、配信した画像データを、仕様が区々な種々の移動体通信機器の広範に、汎用的に利用することができない。
【００１０】
本発明は、上記実状を鑑みてなされたものであり、多種多様な仕様の移動体通信機器にて三次元形状の被写体の旋回画像を表示可能な画像情報を配信できる画像情報提供装置の提供を目的とする。
【００１１】
【課題を解決するための手段】
以上の課題を解決するための主要な手段は、
「画像を表示する表示装置を備えた移動体通信機器に通信ネットワークを介して画像情報を提供する画像情報提供装置であって、
三次元形状の被写体を複数方向から撮像して得た画像データを記憶する画像データ記憶手段と、
被写体の複数方向からの静止画像を順次表示してなる被写体の旋回画像を移動体通信機器の表示装置にて表示させるためのビューアであって、各種の移動体通信機器の仕様に応じた複数種類のビューアを記憶するビューア記憶手段と、
前記通信ネットワークを介して接続された移動体通信機器の仕様を認識する仕様認識手段と、
該仕様認識手段の認識情報に基づき、前記画像データ記憶手段に記憶された画像データを用いて、接続された移動体通信機器の仕様に応じた画像データを取得する画像データ取得手段と、
前記仕様認識手段の認識情報に基づき、前記ビューア記憶手段に記憶された複数種類のビューアの中から、接続された移動体通信機器の仕様に応じたビューアを抽出するビューア抽出手段と、
前記通信ネットワークに対する情報の送受信を制御すると共に、前記画像データ取得手段によって取得された画像データ及び前記ビューア抽出手段によって抽出されたビューアを含んだ画像情報を、通信ネットワークを介して移動体通信機器に配信する通信制御手段と
を備えることを特徴とする画像情報提供装置」
である。
【００１２】
ここで、「仕様認識手段」は、通信ネットワークを介して画像情報提供装置に接続された移動体通信機器の仕様を、利用者が別途に仕様種別を入力操作する必要なく、移動体通信機器からの接続信号等の入力信号を自動的に判別することで認識するものであってもよく、或は、利用者の別途の入力操作によって発信された移動体通信機器からの仕様種別の入力信号によって認識するものであってもよい。
【００１３】
また、「画像データ取得手段」は、画像データ記憶手段に予め記憶された複数種類の画像データの中から適宜の画像データを抽出することで、接続された移動体通信機器の仕様に応じた画像データを取得するものであってもよく、或は、画像データ記憶手段に記憶された基本となる画像データを適宜変換することで、接続された移動体通信機器の仕様に応じた画像データを取得するものであってもよい。
【００１４】
この画像情報提供装置では、仕様認識手段によって、接続された移動体通信機器のキャリアや表示装置の構成等の仕様を認識し、画像データ取得手段によって、移動体通信機器の仕様に応じた画像データを取得し、ビューア抽出手段によって、移動体通信機器の仕様に応じたビューアを抽出する。そして、通信制御手段を通じて、取得した画像データと抽出したビューアとを含んだ画像情報を、移動体通信機器へと配信する。よって、画像情報は、通信ネットワークを介して接続された移動体通信機器の仕様に適確に対応したものとなり、この画像情報を取得した移動体通信機器では、その仕様に拘わらず、表示装置にて、被写体の旋回画像を表示することが可能となる。従って、この画像情報提供装置によれば、多種多様な仕様の移動体通信機器にて三次元形状の被写体の旋回画像を表示可能な画像情報を配信することができる。
【００１５】
なお、移動体通信機器は、一度、その仕様に対応したビューアを取得して記憶すれば、以降の利用において、再度、ビューアを取得する必要はない。よって、仕様認識手段として、接続された移動体通信機器が既にビューアを取得しているか否か認識するものとし、換言すれば、ビューアの有無を仕様の１種として認識するものとし、既にビューアを取得していれば、ビューアの配信を省略するように構成してもよい。このようにすることで、配信する画像情報の情報量を削減することができ、移動体通信機器に画像情報を高速で配信することができる。
【００１６】
上記の画像情報提供装置を、
「前記画像データ記憶手段は、各種の移動体通信機器の仕様に応じた複数種類の画像データを記憶するものであり、
前記画像データ取得手段は、前記仕様認識手段の認識情報に基づき、前記画像データ記憶手段に記憶された複数種類の画像データの中から、接続された移動体通信機器の仕様に応じた画像データを抽出する画像データ抽出手段として構成されていることを特徴とする画像情報提供装置」
としてもよい。
【００１７】
「画像データ取得手段」を、画像データ記憶手段に記憶された基本となる画像データを変換することにより、接続された移動体通信機器の仕様に応じた画像データを取得するものとしてもよい。このようにすることで、「画像データ記憶手段に仕様別の画像データを個別に記憶させておく必要がなく、画像データ記憶手段に記憶させるデータ量を削減できる」、「移動体通信機器の仕様が追加されたり変更されたりした際には、基本となる画像データを移動体通信機器の仕様に対応した画像データに変換するためのソフトウエア等のツールを変更するだけでよく、画像データ記憶手段に記憶された画像データを更新する必要がない」等の利点を得ることができる。
【００１８】
しかしながら、一方で、移動体通信機器に画像情報を配信する都度、画像データの変換作業を必要とすることから、画像情報を高速で配信することができず、移動体通信機器の利用者は、画像情報を迅速に取得することができなくなるといった不具合を生じる。ここで、上記利点は、画像情報提供装置の管理者側で得られる利点であり、上記不具合は、画像情報提供装置の利用者側に生じる不具合である。よって、利用者を満足させることを優先する場合には、上記不具合が生じることを回避しなければならない。
【００１９】
そこで、上記の画像情報提供装置では、画像データ取得手段を画像データ抽出手段として構成し、この画像データ抽出手段によって、接続された移動体通信機器の仕様に応じた画像データを、画像データ記憶手段に記憶された複数種類の画像データの中から抽出する。これにより、接続された移動体通信機器の仕様に応じた画像データを速やかに取得できることとなる。よって、画像情報の高速配信を実現でき、画像情報を迅速に取得したい利用者の要望を満足させることができる。
【００２０】
上記の各画像情報提供装置のいずれかを、
「前記画像データ取得手段によって取得される画像データは、移動体通信機器の表示装置における画面サイズ、色調数及び画素数に応じて調整された画像データであることを特徴とする画像情報提供装置」
としてもよい。
【００２１】
同じキャリアの移動体通信機器であっても、機種に応じて表示装置の構成が異なることがあり、表示装置の構成によっては、取り扱い可能な画像データの内容が制約される場合がある。そこで、上記の画像情報提供装置では、画像データ取得手段によって取得する画像データを、移動体通信機器の表示装置における画面サイズ、色調数及び画素数に応じて調整された画像データとする。これにより、仕様の１種である表示装置の構成に対応した画像情報を配信することが可能となり、移動体通信機器の表示装置に、最適な画像を表示させることができる。
【００２２】
上記の各画像情報提供装置のいずれかを、
「前記画像データ取得手段によって取得される画像データは、被写体の静止画像を表示するための静止画像データと、静止画像を間引き処理してなる間引き画像を順次表示して被写体の旋回画像を表示するための旋回画像データとを含んで構成されていることを特徴とする画像情報提供装置」
としてもよい。
【００２３】
複数方向から撮像された被写体の静止画像を順次表示して、被写体の旋回画像を表示する場合、各静止画像のデータ量が多いと、複数の静止画像を高速で順次表示することが困難となり、被写体の旋回画像を円滑に表示することができなくなる。
【００２４】
そこで、上記の画像情報提供装置では、静止画像を表示させるための静止画像データと、旋回画像を表示するための旋回画像データとを含んで構成される画像データを配信することとし、移動体通信機器において被写体の旋回画像を表示させる際には、旋回画像データを用いて、静止画像を間引いてなる間引き画像を順次表示することにより、被写体の旋回画像を表示できるようにする。ここで、静止画像を間引いてなる間引き画像では、当然、静止画像よりもデータ量が少なくなる。よって、移動体通信機器にて、複数の間引き画像を高速で順次表示することが可能となり、被写体の旋回画像を円滑に表示できることとなる。
【００２５】
一方で、旋回画像を停止させる等して被写体の静止画像を表示する場合には、静止画像データに基づいて、間引きされない画像が表示される。よって、被写体の静止画像は、詳細で鮮明な画像となり、この静止画像によって、被写体のデザイン評価や鑑賞等を好適に行うことができる。
【００２６】
なお、静止画像を間引いてなる間引き画像の画像データを形成するためには、被写体を複数方向から撮像して得た個々の静止画像の画像データの中から、静止画像を構成する総画素の内、例えば、水平方奥及び垂直方向において２画素毎等、適宜方向で所定間隔の画素に対応するデータを、アドレスを基に抽出し、このデータにより各静止画像に対応する間引き画像の画像データを作成すればよい。また、旋回画像データについては、上述のように形成された複数の間引き画像の画像データによって形成すればよい。
【００２７】
【発明の実施の形態】
次に、本発明に係る画像情報提供装置の実施形態としての一例を、図面に基づいて詳細に説明する。
【００２８】
図１に示すように、画像情報提供装置３０は、Ｗｅｂサーバ等により構成され、インターネット等の通信ネットワーク１０に常時接続されるものである。そして、通信ネットワーク１０に適時接続される移動体通信機器２０であって、液晶ディスプレイ等の表示装置２１を有する携帯電話、ノートパソコン等の携帯用パソコン、カーナビゲーション等の種々の移動体通信機器２０からの画像情報の要求に応じて、適宜内容の画像情報を配信するものである。
【００２９】
ここで、画像情報は、表示対象物の現物を被写体として、この被写体を、水平周りや鉛直周り等の適宜周りに適宜角度間隔にて複数方向から撮像して得た画像データを含むものであり、移動体通信機器２０の表示装置２１にて、被写体の旋回画像を表示させるためのものである。また、被写体の旋回画像は、個々の人物や物品を被写体として、この被写体自体が旋回する状態を表すものであってもよく、或は、景色や建築物の室内等を被写体として、この被写体を見る視点自体が旋回する状態を表すものであってもよい。
【００３０】
この画像情報提供装置３０は、図示は省略するが、ハード構成として、汎用のコンピュータと同様に、ＲＯＭ、ＲＡＭ、ＣＰＵ等から構成される演算装置と、種々のデータを記憶するハードディスク等の記憶装置と、キーボードやマウス等、情報を直接入力するための入力装置と、処理情報を表示するディスプレイ等の表示装置と、通信ネットワーク１０に接続されるモデム等の接続装置とを備えている。
【００３１】
また、画像情報提供装置３０には、画像情報を提供するためのプログラムがインストールされており、このプログラムを実行させることにより、機能的な構成として、通信制御手段３１と、表示対象物認識手段３２と、仕様認識手段３３と、画像データ抽出手段３４と、ビューア抽出手段３５と、画像データ記憶手段３６と、ビューア記憶手段３５とを有するものとなる。ここで、上記各手段は、具体的に、以下のよう機能するものである。
【００３２】
通信制御手段３１は、通信ネットワーク１０に対する情報の送受信を制御すると共に、通信ネットワーク１０を介して接続された移動体通信機器２０からの情報の入力や、移動体通信通信機器２０への情報の出力の制御を行うものである。そして、この通信制御手段３１は、上述したモデム等の接続装置等を用いて構成されている。
【００３３】
表示対象物認識手段３２は、予め用意された車、宝石、アイドル、美術品等、種々の表示対象物の中から、利用者が要求する表示対象物を特定するためのものであり、移動体通信機器２０での入力操作によって利用者が表示対象物を指定すると、移動体通信機器２０からの入力信号に基づいて、要求された表示対象物を認識するものである。
【００３４】
仕様認識手段３３は、接続された移動体通信機器２０のキャリアや機種等の仕様を特定するためのものであり、通信ネットワーク１０を介して移動体通信機器２０が接続されると、この接続に際しての接続信号により自動的に移動体通信機器２０の仕様を認識するものである。なお、これに限らず、移動体通信機器２０での入力操作によって利用者が仕様を指定すると、移動体通信機器２０からの入力信号に基づいて、移動体通信機器２０の仕様を認識するものであってもよい。
【００３５】
画像データ抽出手段３４は、接続された移動体通信機器２０の仕様に応じた画像データを取得する画像データ取得手段の一例を示すものである。具体的に、この画像データ抽出手段３４は、後述する画像データ記憶手段３６に記憶された各種の画像データの中から、表示対象物認識手段３２及び仕様認識手段３３の各認識情報に基づいて、利用者から要求された表示対象物の画像データであって、接続された移動体通信機器２０にて使用可能な画像データを抽出するものである。
【００３６】
ビューア抽出手段３５は、後述するビューア記憶手段３７に記憶された各種のビューアの中から、仕様認識手段３３の認識情報に基づいて、接続された移動体通信機器２０にて使用可能なビューアを抽出するものである。
【００３７】
これらの表示対象物認識手段３２、仕様認識手段３３、画像データ抽出手段３４及びビューア抽出手段３５は、インストールされたプログラムを実行する演算装置の機能として構成される。
【００３８】
画像データ抽出手段３４によって抽出された画像データ、及び、ビューア抽出手段３５によって抽出されたビューアにより画像情報が構成され、この画像情報は、通信制御手段３１を介して通信ネットワーク１０上に送信され、接続された移動体通信機器２０に配信される。そして、配信された画像情報は、移動体通信機器２０の記憶装置にダウンロードされ、移動体通信機器２０の利用者は、ダウンロードされた画像情報によって、移動体通信機器２０の表示装置２１にて、表示対象物の旋回画像を表示させることができ、この旋回画像を商談や娯楽等の種々の目的で利用することができる。
【００３９】
ところで、種々の表示対象物や移動体通信機器２０の種々の仕様に対応する画像データを記憶する画像データ記憶手段３６、及び、移動体通信機器２０の種々の仕様に対応するビューアを記憶するビューア記憶手段３７は、ハードディスク等からなる記憶装置を用いて構成されており、この記憶装置に記憶された各種のデータは、表示対象物の追加や移動体通信機器２０の仕様変更等に応じて、随時、更新される。
【００４０】
また、画像データ記憶手段３６では、画像データとして、車、宝石等、各種の表示対象物毎（図１の表示対象物▲１▼、表示対象物▲２▼、・・・、を参照）に、移動体通信機器２０の仕様に対応する仕様別画像データ（図１の仕様別画像データ▲１▼ａ、仕様別画像データ▲１▼ｂ、仕様別画像データ▲１▼ｃ、・・・、及び、仕様別画像データ▲２▼ａ、仕様別画像データ▲２▼ｂ、仕様別画像データ▲２▼ｃ、・・・、を参照）を記憶している。ここで、移動体通信機器２０の仕様は、画面サイズ、色調数及び画素数といった表示装置２１の構成を含んだ要件として設定されており、仕様別画像データは、この表示装置２１の構成に対応できるように調整された画像データとされている。このような構成では、画像データ抽出手段３４によって、利用者が要求する表示対象物及び移動体通信機器２０の仕様に適確に対応する画像データを、直ちに抽出して配信することができる。
【００４１】
また、ビューア記憶手段３７では、移動体通信機器２０の表示装置にて旋回画像を表示するためのビューアとして、移動体通信機器２０の仕様毎に対応する仕様別ビューア（図１の仕様別ビューアＡ、仕様別ビューアＢ、仕様別ビューアＣ、・・・、を参照）を記憶している。このような構成では、ビューア抽出手段３５によって、移動体通信機器２０の仕様に対応するビューアを直ちに抽出して配信することができる。
【００４２】
さらに、図２に示すように、画像データは、被写体の静止画像を表示するための静止画像データと、被写体の旋回画像を表示するための旋回画像データとを含んで構成されている。そして、旋回画像データは、被写体を複数方向から撮像して得た個々の静止画像の間引きしてなる間引き画像を表示させるための画像データであり、静止画像データよりもデータ量の少ないものである。よって、移動体通信機器２０の表示装置２１にて被写体の旋回画像を表示する際には、個々の間引き画像の高速表示が可能であり、複数の間引き画像を高速で順次表示することにより、被写体の旋回画像を円滑に表示させることができる。一方で、旋回画像を一時的に停止させて被写体の静止画像を表示させたり、利用者の入力操作によって視点を変えた被写体の静止画像を表示させる際には、間引きがなされていない静止画像が表示されるため、この静止画像は、詳細で鮮明な画像となる。
【００４３】
以上の例では、移動体通信機器２０の仕様に応じた画像データを取得するため画像データ取得手段を、画像データ抽出手段を用いて構成した例を示したが、これに変えて、図３に示すような構成としてもよい。
【００４４】
図３に示す構成では、画像データ記憶手段４３に、各種の表示対象物毎に、被写体を複数方向から撮像して得た基本画像データ（図２の表示対象物▲１▼の基本画像データ、表示対象物▲２▼の基本画像データ、・・・、を参照）が記憶されている。そして、この構成では、まず、表示対象物認識手段３２の認識情報に基づき、画像データ抽出手段４１によって、画像データ記憶手段４３に記憶された各種の表示対象物の基本画像データの中から、利用者が要求する表示対象物の基本画像データを抽出する。次に、仕様認識手段３３の認識情報に基づき、抽出された基本画像データを、画像データ変換手段４２によって、移動体通信機器２０の仕様に応じた画像データに変換する。ここで、画像データ変換手段４２は、移動体通信機器２０の仕様に応じた画像データを取得するものであり、画像データ取得手段を構成するものである。そして、画像データ変換手段４２によって変換された画像データと、図示は省略するが、別途のビューア抽出３５によって抽出されたビューアと合わせて画像情報とし、この画像情報を、通信制御手段３１から、通信ネットワーク１０を介して移動体通信機器２０へと配信する。
【００４５】
上記構成では、移動体通信機器２０の仕様に対応する各種の画像データを画像データ記憶手段４３に記憶させておく必要がないため、画像データ記憶手段４３に記憶させておくデータの量を削減することができる。また、画像データを更新する必要なく、画像データ変換手段４２を機能させるソフトウエア等のツールを変更するだけで、移動体通信機器２０の仕様の追加や変更に対応することができるため、画像情報提供装置３０を簡便に維持管理することができる。
【００４６】
【発明の効果】
以上詳細に説明した本発明によれば、多種多様な仕様の移動体通信機器にて三次元形状の被写体の旋回画像を表示可能な画像情報を配信できる画像情報提供装置とすることができる。
【図面の簡単な説明】
【図１】本発明に係る画像情報提供装置の機能的構成を示すブロック図である。
【図２】画像データを示す概略図である。
【図３】本発明に係る画像情報提供装置の別の例における機能的構成の一部を示すブロック図である。
【符号の説明】
１０  通信ネットワーク
２０  移動体通信機器
２１  表示装置
３０  画像情報提供装置
３１  通信制御手段
３２  表示対象物認識手段
３３  仕様認識手段
３４  画像データ抽出手段（画像データ取得手段）
３５  ビューア抽出手段
３６  画像データ記憶手段
３７  ビューア記憶手段
４１  画像データ抽出手段
４２  画像データ変換手段（画像データ取得手段）
４３  画像データ記憶手段
【図１】
2004236264.tif 000003
【図２】
2004236264.tif 000004
【図３】
2004236264.tif 000005